(57)【要約】【課題】軽量化がされ構成が簡素化されたコネクタを提供する。【解決手段】第１のコネクタ本体部４１と、この第１のコネクタ本体部の上面から突出している複数の第１の端子と、これらの第１の端子を囲むように前記第１のコネクタ本体部の上面から突出している筒状部２９と、前記筒状部の外側に突出して設けられた第１の突起４３とを備えた第１のコネクタ３と、第２のコネクタ本体部３５と、この第２のコネクタ本体部の底面に設けられ、それぞれに複数の前記第１の端子のそれぞれが挿入される複数の第２の端子１１と、前記第２のコネクタ本体部の上面から突出している第２の突起４７とを備えた第２のコネクタ５とを有するコネクタ７である。【選択図】図１
2014150073.tif 000002
【特許請求の範囲】
【請求項１】
複数の第１の端子を備えた第１のコネクタと、
複数の前記第１の端子のそれぞれに接続される複数の第２の端子を備えた第２のコネクタと、
を有し、前記各コネクタ同士の接続は、コネクタ用治具の引っ掛け部を前記第１のコネクタの第１の被引っ掛け部に引っ掛け、前記コネクタ用治具の押し込み部を前記第２のコネクタの第２の被当接部に当接させた状態で、前記第２のコネクタが前記第１のコネクタに近づくように、前記コネクタ用治具の押し込み部で、前記第２のコネクタを押すことによってなされるように構成されており、
前記各コネクタ同士の分離は、前記コネクタ用治具の当接部を前記第１のコネクタの第１の被当接部に当接させ、前記コネクタ用治具の引き出し部を前記第２のコネクタの第２の被引っ掛け部に引っ掛けた状態で、前記第２のコネクタが前記第１のコネクタから離れるように、前記コネクタ用治具の引き出し部で、前記第２のコネクタを引き出すことによってなされるように構成されていることを特徴とするコネクタ。
【請求項２】
請求項１に記載のコネクタにおいて、
前記第１のコネクタには、第１のコネクタロック部が設けられており、
前記第２のコネクタには、第２のコネクタロック部が設けられており、
前記第２のコネクタロック部は、前記第１の端子と前記第２の端子とをお互いに接続する途中で前記第１のコネクタロック部に係合して弾性変形し、前記第１の端子と前記第２の端子との接続が終了したときに復元して前記第１のコネクタロック部に係合し、前記第２の端子の前記第１の端子からの分離を阻止するように構成されており、
また、前記第２のコネクタロック部は、前記第１の端子と前記第２の端子とがお互いに接続されているときに、所定の外力が加えられることによって弾性変形して前記第１のコネクタロック部との係合がはずれ、前記第２の端子の前記第１の端子からの分離が終了したときに前記第１のコネクタロック部から離れて復元するように構成されていることを特徴とするコネクタ。
【請求項３】
第１のコネクタと第２のコネクタとをお互いに接続し、また、第１のコネクタと第２のコネクタとを分離するときに使用するコネクタ用治具において、
前記第１のコネクタの第１の被当接部に当接する当接部を備えた治具本体部と、
前記第１のコネクタの第１の被引っ掛け部に引っ掛かる引っ掛け部を備え、前記治具本体部に支持されている引っ掛け部材と、
前記第２のコネクタの第２の被当接部に当接する押し込み部材を支持し、もしくは、前記第２のコネクタの第２の被引っ掛け部に引っ掛ける引き出し部材を支持し、前記治具本体部に係合して所定の方向に移動する移動部材と、
を有することを特徴とするコネクタ用治具。
【請求項４】
請求項３に記載のコネクタ用治具において、
前記第１のコネクタと前記第２のコネクタとをお互いに接続するときには、前記移動部材で前記押し込み部材を支持し、前記引っ掛け部材の引っ掛け部を前記第１のコネクタの被引っ掛け部に引っ掛け、前記第２のコネクタを前記第１のコネクタ側に押す方向に前記移動部材を移動して前記押し込み部材をメスコネクタの被当接部に当接させ、前記第２のコネクタを前記第１のコネクタ側に押し、
前記第１のコネクタと前記第２のコネクタとを分離するときには、前記移動部材で前記引き出し部材を支持し、前記治具本体部の当接部を前記第１のコネクタの被当接部に当接させ、前記引き出し部材を前記第２のコネクタの被引っ掛け部に引っ掛け、前記第２のコネクタを前記第１のコネクタから離す方向に前記移動部材を移動して、前記第２のコネクタを前記第１のコネクタから離すように構成されていることを特徴とするコネクタ用治具。
【発明の詳細な説明】
【技術分野】
【０００１】
本発明は、コネクタおよびコネクタ用治具に係り、オスコネクタの複数の端子と、メスコネクタの複数の端子とが着脱自在になっているコネクタおよび上記着脱に使用されるコネクタ用治具に関する。
【背景技術】
【０００２】
図２３は、従来のコネクタ４００（たとえば特許文献１参照）の概略構成を示す斜視図である。
【０００３】
従来のコネクタ（嵌合式コネクタ）４００では、一方のコネクタ４０２に、大径のねじ孔を備えた第１ナット４０４を設け、第１ナット４０４の前後に貫通孔４０６を形成し、第１ナット４０４ないし第１ナット４０４の後方に、コネクタ嵌合用の小径ボルト４０８の鍔状ストッパ部４１０ないし頭部４１２に対する突き当て部４１４を形成してある。
【０００４】
また、他方のコネクタ４１６に、小径のねじ孔を備えた第２ナット４１８を設け、第１ナット４０４のねじ孔よりも小径なコネクタ嵌合用の小径ボルト４０８を第１ナット４０４に挿通して第２ナット４１８に螺合させることで両コネクタ４０２，４１６を嵌合可能とし、第１ナット４０４にコネクタ離脱用の大径ボルト（図示せず）を螺合させ、該コネクタ離脱用の大径ボルトの前端で他方のコネクタ４１６を押し出し可能としてある。
【先行技術文献】
【特許文献】
【０００５】
【特許文献１】特許第３２８５１１９号公報
【発明の概要】
【発明が解決しようとする課題】
【０００６】
ところで、従来のコネクタ４００では、個々のコネクタ毎にボルトやナットが設けられているので、コネクタの質量が大きくなり（コネクタが重くなり）、コネクタの構成が煩雑になるという問題がある。
【０００７】
本発明は、上記問題点に鑑みてなされたものであり、軽量化がされ構成が簡素化されたコネクタおよびこのコネクタの着脱に使用されるコネクタ用治具を提供することを目的とする。
【課題を解決するための手段】
【０００８】
請求項１に記載の発明は、複数の第１の端子を備えた第１のコネクタと、複数の前記第１の端子のそれぞれに接続される複数の第２の端子を備えた第２のコネクタとを有し、前記各コネクタ同士の接続は、コネクタ用治具の引っ掛け部を前記第１のコネクタの第１の被引っ掛け部に引っ掛け、前記コネクタ用治具の押し込み部を前記第２のコネクタの第２の被当接部に当接させた状態で、前記第２のコネクタが前記第１のコネクタに近づくように、前記コネクタ用治具の押し込み部で、前記第２のコネクタを押すことによってなされるように構成されており、前記各コネクタ同士の分離は、前記コネクタ用治具の当接部を前記第１のコネクタの第１の被当接部に当接させ、前記コネクタ用治具の引き出し部を前記第２のコネクタの第２の被引っ掛け部に引っ掛けた状態で、前記第２のコネクタが前記第１のコネクタから離れるように、前記コネクタ用治具の引き出し部で、前記第２のコネクタを引き出すことによってなされるように構成されているコネクタである。
【０００９】
請求項２に記載の発明は、請求項１に記載のコネクタにおいて、前記第１のコネクタには、第１のコネクタロック部が設けられており、前記第２のコネクタには、第２のコネクタロック部が設けられており、前記第２のコネクタロック部は、前記第１の端子と前記第２の端子とをお互いに接続する途中で前記第１のコネクタロック部に係合して弾性変形し、前記第１の端子と前記第２の端子との接続が終了したときに復元して前記第１のコネクタロック部に係合し、前記第２の端子の前記第１の端子からの分離を阻止するように構成されており、また、前記第２のコネクタロック部は、前記第１の端子と前記第２の端子とがお互いに接続されているときに、所定の外力が加えられることによって弾性変形して前記第１のコネクタロック部との係合がはずれ、前記第２の端子の前記第１の端子からの分離が終了したときに前記第１のコネクタロック部から離れて復元するように構成されているコネクタである。
【００１０】
請求項３に記載の発明は、第１のコネクタと第２のコネクタとをお互いに接続し、また、第１のコネクタと第２のコネクタとを分離するときに使用するコネクタ用治具において、前記第１のコネクタの第１の被当接部に当接する当接部を備えた治具本体部と、前記第１のコネクタの第１の被引っ掛け部に引っ掛かる引っ掛け部を備え、前記治具本体部に支持されている引っ掛け部材と、前記第２のコネクタの第２の被当接部に当接する押し込み部材を支持し、もしくは、前記第２のコネクタの第２の被引っ掛け部に引っ掛ける引き出し部材を支持し、前記治具本体部に係合して所定の方向に移動する移動部材とを有するコネクタ用治具である。
【００１１】
請求項４に記載の発明は、請求項３に記載のコネクタ用治具において、前記第１のコネクタと前記第２のコネクタとをお互いに接続するときには、前記移動部材で前記押し込み部材を支持し、前記引っ掛け部材の引っ掛け部を前記第１のコネクタの被引っ掛け部に引っ掛け、前記第２のコネクタを前記第１のコネクタ側に押す方向に前記移動部材を移動して前記押し込み部材を前記メスコネクタの被当接部に当接させ、前記第２のコネクタを前記第１のコネクタ側に押し、前記第１のコネクタと前記第２のコネクタとを分離するときには、前記移動部材で前記引き出し部材を支持し、前記治具本体部の当接部を前記第１のコネクタの被当接部に当接させ、前記引き出し部材を前記第２のコネクタの被引っ掛け部に引っ掛け、前記第２のコネクタを前記第１のコネクタから離す方向に前記移動部材を移動して、前記第２のコネクタを前記第１のコネクタから離すように構成されているコネクタ用治具である。
【発明の効果】
【００１２】
軽量化がされ構成が簡素化されたコネクタおよびこのコネクタの着脱に使用されるコネクタ用治具を得ることができるという効果を奏する。
【図面の簡単な説明】
【００１３】
【図１】本発明の実施形態に係る着脱コネクタシステムの概略構成を示す斜視図である。
【図２】着脱コネクタシステムの概略構成を示す側面図である。
【図３】オスコネクタとメスコネクタとの概略構成を示す斜視図である。
【図４】コネクタ用治具の治具本体部の概略構成を示す斜視図である。
【図５】コネクタ用治具の押し込み部材の概略構成を示す斜視図である。
【図６】コネクタ用治具の引っ掛け部材の概略構成を示す斜視図である。
【図７】仮接続状態にあるオスコネクタとメスコネクタとを示す斜視図である。
【図８】図７におけるＶＩＩＩ−ＶＩＩＩ断面を示す図である。
【図９】（ａ）は、図７におけるＩＸ−ＩＸ断面を示す図であり、（ｂ）は、（ａ）のＩＸ部の拡大図である。
【図１０】仮接続状態にあるオスコネクタとメスコネクタとにコネクタ用治具を設置する前の状態を示す図である。
【図１１】仮接続状態にあるオスコネクタとメスコネクタとにコネクタ用治具を設置する前の状態を示す図である。
【図１２】仮接続状態にあるオスコネクタとメスコネクタとにコネクタ用治具を設置している途中の状態を示す図である。
【図１３】仮接続状態にあるオスコネクタとメスコネクタとにコネクタ用治具を設置している途中の状態を示す図である。
【図１４】仮接続状態にあるオスコネクタとメスコネクタとにコネクタ用治具を設置し終えた状態を示す図である。
【図１５】仮接続状態にあるオスコネクタとメスコネクタとにコネクタ用治具を設置し終えた状態を示す図である。
【図１６】コネクタ用治具によって、オスコネクタとメスコネクタとを本接続した状態を示す図である。
【図１７】コネクタ用治具によって、オスコネクタとメスコネクタとを本接続した状態を示す図である。
【図１８】図１７のＸＶＩＩＩ部の拡大図である。
【図１９】コネクタ用治具の引き出し部材の概略構成を示す斜視図である。
【図２０】コネクタ用治具の引き出し部材の正面図である。
【図２１】コネクタ用治具の引き出し部材の正面図である。
【図２２】コネクタ用治具の引き出し部材の変形例を示す図である。
【図２３】従来のコネクタの概略構成を示す斜視図である。
【発明を実施するための形態】
【００１４】
図１は、本発明の実施形態に係る着脱コネクタシステム１の概略構成を示す斜視図であり、図２は、着脱コネクタシステム１の概略構成を示す側面図である。
【００１５】
着脱コネクタシステム１は、第１のコネクタ（たとえばオスコネクタ）３と第２のコネクタ（たとえばメスコネクタ）５とを備えたコネクタ７と、コネクタ７とは別体であるコネクタ用治具９とを備えて構成されている。メスコネクタ５は、オスコネクタ３とは別体になっており、オスコネクタ３とメスコネクタ５とは着脱自在（接続・分離自在）になっている。また、上記着脱はコネクタ用治具９を用いてなされるようになっている。
【００１６】
なお、説明の便宜のために、本件明細書において、所定の一方向を縦方向とし、この縦方向に直交する方向を横方向とし、縦方向と横方向とに直交する方向を着脱方向（高さ方向）とする場合がある。
【００１７】
オスコネクタ３は、複数の第１の端子（図示せず）を備えており、メスコネクタ５は、複数の第２の端子１１を備えている。そして、複数の第１の端子のそれぞれが、複数の第２の端子１１のそれぞれに接続（本接続）されるようになっている。本接続についての詳細は後述する。
【００１８】
各コネクタ３，５同士の接続（お互いが分離されているオスコネクタ３の第１の端子とメスコネクタ５の第２の端子１１との接続）を行うときは、まず、コネクタ用治具９の引っ掛け部１３をオスコネクタ３の第１の被引っ掛け部１５に引っ掛け、コネクタ用治具９の押し込み部１７をメスコネクタ５の第２の被当接部１９に当接させる。
【００１９】
続いて、上記引っ掛けと上記当接とをした状態で、メスコネクタ５がオスコネクタ３に近づくように（オスコネクタ３の第１の端子がメスコネクタ５の第２の端子１１に挿入されるように）、コネクタ用治具９の押し込み部１７で、メスコネクタ５を押すことによってなされる構成になっている。
【００２０】
一方、各コネクタ３，５同士の分離（お互いが接続されているオスコネクタ３の第１の端子とメスコネクタ５の第２の端子１１との分離）を行うときは、まず、コネクタ用治具９の当接部２１をオスコネクタ３の第１の被当接部２３に当接させ、コネクタ用治具９の引き出し部２５をメスコネクタ５の第２の被引っ掛け部２７に引っ掛ける。
【００２１】
続いて、上記当接と上記引っ掛けとをした状態で、メスコネクタ５がオスコネクタ３から離れるように（オスコネクタ３の第１の端子がメスコネクタ５の第２の端子１１から抜け出るように）、コネクタ用治具９の引き出し部２５で、メスコネクタ５を引き出すことによってなされる構成になっている。
【００２２】
また、オスコネクタ３（たとえば、オスコネクタ３の筒状部２９）には、第１のコネクタロック部３１と第１のコネクタ仮係止部３３とが設けられている。第１のコネクタロック部３１と第１のコネクタ仮係止部３３とはお互いが離れている。
【００２３】
メスコネクタ５（たとえば、メスコネクタ５の第２のコネクタ本体部３５）には、第２のコネクタロック部３７と第２のコネクタ仮係止部３９とが設けられている。第２のコネクタロック部３７と第２のコネクタ仮係止部３９とはお互いが離れて別個に設けられている。
【００２４】
第２のコネクタロック部３７は、オスコネクタ３の第１の端子とメスコネクタ５の第２の端子１１とをお互いに接続する途中で第１のコネクタロック部３１に係合（たとえば接触）して弾性変形するようになっている。
【００２５】
また、オスコネクタ３の第１の端子とメスコネクタ５の第２の端子１１との接続が終了（完了）したときに（第１の端子と第２の端子１１とが本接続状態になったときに；オスコネクタ３とメスコネクタ５とが本接続状態になったときに）、第２のコネクタロック部３７が復元するようになっている。この復元によって第２のコネクタロック部３７が第１のコネクタロック部３１に係合し、メスコネクタ５の第２の端子１１の、オスコネクタ３の第１の端子からの分離が阻止されるように構成されている。
【００２６】
さらに、第２のコネクタロック部３７は、オスコネクタ３の第１の端子とメスコネクタ５の第２の端子１１とがお互いに接続されているとき（本接続状態にあるとき）に、所定の外力が加えられることによって（所定の外力を受けることによって）弾性変形し、第１のコネクタロック部３１との係合がはずれるようになっている。すなわち、第２の端子１１の、第１の端子からの分離阻止が解除され、メスコネクタ５がオスコネクタ３から分離できるようになっている。
【００２７】
また、第２のコネクタロック部３７は、メスコネクタ５の第２の端子１１をオスコネクタ３の第１の端子から分離する途中で第１のコネクタロック部３１に係合（たとえば接触）して弾性変形し、メスコネクタ５の第２の端子１１の、オスコネクタ３の第１の端子からの分離が終了したときに、第１のコネクタロック部３１から離れて復元するようになっている。
【００２８】
第２のコネクタ仮係止部３９は、オスコネクタ３の第１の端子とメスコネクタ５の第２の端子１１とをお互いに接続するときに、第１のコネクタ仮係止部３３と係合して、オスコネクタ３（たとえば筒状部２９）とメスコネクタ５（たとえば第２のコネクタ本体部３５）とを仮接続の状態にするように構成されている。仮接続の状態の詳細については後述する。
【００２９】
オスコネクタ３は、第１のコネクタ本体部４１と、複数の前述した第１の端子（図示せず）と、筒状部２９と、第１の突起４３とを備えて構成されている。第１の端子は、たとえば針状に形成された金属製の雄端子であり、第１の端子を除く、第１のコネクタ本体部４１や筒状部２９や第１の突起４３等の樹脂部分は、たとえばモールド成形によって一体成形されている。
【００３０】
複数の第１の端子は、第１のコネクタ本体部４１の上面から突出している。筒状部２９は、複数の第１の端子を囲むように（第１の端子が内側に入るように）、第１のコネクタ本体部４１の上面から突出している。第１の突起４３は、筒状部２９の先端（上端）部側（たとえば先端部）で、筒状部２９の外周壁から筒状部２９の外側（筒状部２９の延出方向に直交する方向で筒状部２９の中心から離れる側）に、筒状部２９の中心に対して対称的（「対称的」についての詳細は後述する。）に突出して設けられている。
【００３１】
そして、たとえば、第１の突起４３が、上述した第１の被引っ掛け部１５と、上述した第１の被当接部２３とを構成している。
【００３２】
なお、オスコネクタ３の第１のコネクタ本体部４１の底面からは、複数の第１の端子に応じた複数の配線（たとえば可撓性を備えた電線；図示せず）が延出している。
【００３３】
メスコネクタ５は、前述した第２のコネクタ本体部３５と複数の第２の端子１１と第２の突起４７とを備えて構成されている。第２の端子１１は、針状の雄端子（オスコネクタ３の第１の端子）が嵌り込むたとえば金属製の雌端子であり、第２のコネクタ本体部３５の底面でこの底面から上面側に凹んで設けられている。そして、第２の端子１１のそれぞれに複数の第１の端子のそれぞれが挿入抵抗（挿入の際の反力）をもって挿入されて、複数の第１の端子のそれぞれと複数の第２の端子１１のそれぞれとが、お互いに電気的に接続されるように構成されている。
【００３４】
第２の突起４７は、第２のコネクタ本体部３５の上面のほぼ中央部で前記上面から突出している。そして、たとえば、第２の突起４７の一部が、前述した第２の被当接部１９を構成しており、第２の突起４７の他の一部が、前述した第２の被引っ掛け部２７を構成している。
【００３５】
なお、第２の端子１１を除く、第２のコネクタ本体部３５や第２の突起４７等の樹脂部分は、たとえばモールド成形によって一体成形されている。また、メスコネクタ５の第２のコネクタ本体部３５の上面からは、複数の第２の端子１１に応じた複数の配線（たとえば可撓性を備えた電線；図示せず）が延出している。
【００３６】
オスコネクタ３の筒状部２９の内部には、第１のコネクタ本体部４１の上面から延出しているリブ４９が第１の端子を避けるようにして設けられている。また、メスコネクタ５の第２のコネクタ本体部３５の底面には、メスコネクタ５を第１のコネクタに接続するときに（第１の端子を第２の端子１１に接続するときに）、リブ４９に係合（たとえば嵌合）する溝５１が設けられている。
【００３７】
そして、オスコネクタ３にメスコネクタ５を接続するときに、リブ４９に溝５１が係合（たとえば滑り対偶をなして係合）するか、または、筒状部２９の内壁に第２のコネクタ本体部３５の側面が係合（たとえば滑り対偶をなして係合）するか、または、筒状部２９の内壁に第２のコネクタ本体部３５の側面が係合すると共にリブ４９に溝５１が係合して、オスコネクタ３に対してメスコネクタ５が着脱方向に移動するように、メスコネクタ５がガイドされるようになっている。
【００３８】
ここで、仮接続の状態とは、オスコネクタ３にメスコネクタ５を接続するときの途中の１つの状態であり、仮接続の状態であるときには、上述したリブ４９等によるガイドがされており、オスコネクタ３の第１のコネクタ仮係止部３３とメスコネクタ５の第２のコネクタ仮係止部３９とがお互いに係合しており、オスコネクタ３の第１の端子とメスコネクタ５の第２の端子１１とがお互いに離れて非接続になっている。
【００３９】
お互いが離れている（分離されている）各コネクタ３，５同士を仮接続状態にするには、大きな力は不要である。たとえば、オスコネクタ３（筒状部２９）にメスコネクタ５（第２のコネクタ本体部３５）を素手で挿入して嵌めることによりなすことができる。仮接続状態では、オスコネクタ３の第１のコネクタ仮係止部３３とメスコネクタ５の第２のコネクタ仮係止部３９とがお互いに係合しており、これによって仮接続状態が維持されるようになっている。
【００４０】
仮接続状態から、本接続状態（オスコネクタ３の第１の端子とメスコネクタ５の第２の端子１１とのお互いの接続が終了した状態）にするには、大きな力（素手では発揮できない大きさの力）によって、オスコネクタ３の筒状部２９にメスコネクタ５の第２のコネクタ本体部３５を押し込む必要がある。
【００４１】
このような大きな力が必要な理由は、各コネクタ３，５に多数の端子１１が設けられているからである。すなわち、オスコネクタ３に第１の端子が１つだけ設けられており、この１つの端子をメスコネクタ５の１つの端子１１に挿入して端子同士を接続するのであれば、接続するときの抵抗力（端子の挿入抵抗）が小さいので素手による小さな力で端子同士の接続をすることができる。
【００４２】
しかし、オスコネクタ３には複数（多数）の端子が設けられており、メスコネクタ５にも複数（多数）の端子が設けられており、しかも、コネクタ７では多数の端子を同時に接続（多極の端子を一括して接続）するように構成されているので、接続するための抵抗力が大きく、本接続状態にするのに大きな力が必要になるのである。
【００４３】
そこで、仮接続状態から、本接続状態にするには、コネクタ用治具９が必要になる。コネクタ用治具９を用いて、仮接続状態から本接続状態にするために、各コネクタ３，５に所定の大きな力を加えると、まず、各コネクタ仮係止部３３，３９同士の係合状態が解除され、この後、オスコネクタ３の第１端子がメスコネクタ５の第２の端子１１へ挿入されて本接続状態になる。本接続状態で、コネクタ７がたとえば自動車等車両に設置され使用されるようになっている。
【００４４】
また、本接続状態では、上述したように、第２のコネクタロック部３７が第１のコネクタロック部３１に係合し、第２の端子１１の第１の端子からの分離（メスコネクタ５がオスコネクタ３から外れること）を阻止している。
【００４５】
なお、各コネクタロック部３１，３７を設けていない構成であっても、一旦接続された（本接続状態にある）各コネクタ３，５は、容易には分離されない。しかし、各コネクタロック部３１，３７を設けていない構成であると、振動によって各コネクタ３，５同士の接続が緩んだり、各コネクタ３，５同士が外れて（分離されて）しまうおそれがある。そこで、各コネクタロック部３１，３７を設けて、振動による各コネクタ３，５同士の緩み等を防止している。
【００４６】
お互いに接続されている（本接続状態にある）各コネクタ３，５を分離するときにも接続するときと同様にして大きな力が必要であるので、コネクタ用治具９が必要になる。なお、本接続状態では、各コネクタロック部３１，３７によってメスコネクタ５の第２の端子１１の、第１の端子（オスコネクタ３の端子）からの分離が阻止されているので、コネクタ用治具９を用いても、本接続状態にある各コネクタ３，５の分離はできないようになっている。本接続状態にある各コネクタ３，５を分離する場合には、メスコネクタ５の第２のコネクタロック部３７に別途外力を加えて第２のコネクタロック部３７を弾性変形させ、第１のコネクタロック部３１との係合をはずしておく。そして、コネクタ用治具９を用いて、オスコネクタ３からメスコネクタ５を引き抜く必要がある。
【００４７】
なお、コネクタ７において、メスコネクタ５の第２のコネクタロック部３７の代わりに、オスコネクタ３の第１のコネクタロック部３１が弾性変形する構成であってもよい。
【００４８】
次に、オスコネクタ３の筒状部２９の中心に対して対称的に突出して設けられた第１の突起４３（第１の被引っ掛け部１５）と、メスコネクタ５の第２の突起４７（第２の被当接部１９，第２の被引っ掛け部２７）とについて説明する。
【００４９】
第１の突起４３は、たとえば、複数設けられている。オスコネクタ３とメスコネクタ５とが仮接続状態や本接続状態にあるときに、各コネクタ３，５の高さ方向（着脱方向）からオスコネクタ３とメスコネクタ５とを見ると、複数の第１の突起４３を内接する多角形や複数の第１の突起４３を内接する閉曲線（複数の第１の突起４３を包洛する閉曲線）の内側に（たとえば、中心の位置に）、メスコネクタ５の第２の突起４７が位置している。
【００５０】
具体的には、第１の突起４３は、図３で示すようにたとえば３つ設けられている（突起４３Ａ，４３Ｂ，４３Ｃ）。第１の各突起４３Ａ，４３Ｂ，４３Ｃが内接する多角形は四角形（点Ｐ１，Ｐ２，Ｐ３，Ｐ４を結ぶ四角形）になり、第２のコネクタの第２の突起４７は、上記四角形の各対角線の交点のところに位置している。
【００５１】
そして、コネクタ用治具９を用いて、各コネクタ３，５を本接続状態にするには、コネクタ用治具９の複数の引っ掛け部材５３の引っ掛け部１３のそれぞれを複数の第１の突起４３のそれぞれに係合させて、コネクタ用治具９の移動部材（たとえばボルト）５５に設置されている押し込み部材５７を第２の突起４７に係合させるので、各コネクタ３，５を本接続状態にするときに、メスコネクタ５にモーメント（横方向に延びている軸まわりの回転モーメントと、縦方向に延びている軸まわりの回転モーメント）が発生し難くなっており、メスコネクタ５がオスコネクタ３に対してスムーズに移動する（メスコネクタ５がオスコネクタ３にスムーズに嵌まる）ようになっている。
【００５２】
また、コネクタ用治具９を用いて各コネクタ３，５を分離するには、コネクタ用治具９の治具本体部５９に設けられている複数の当接部２１のそれぞれを、複数の第１の突起４３の上面（先端面４５）のそれぞれに当接させて、コネクタ用治具９のボルト５５に設置されている引き出し部材６１を第２の突起４７に係合させるので、各コネクタ３，５を分離するときに、メスコネクタ５にモーメントが発生し難くなっており、メスコネクタ５をオスコネクタ３からスムーズに外せるようになっている。
【００５３】
次に、コネクタ用治具９について詳しく説明する。
【００５４】
コネクタ用治具９は、前述したように、お互いが分離されているオスコネクタ３とメスコネクタ５とをお互いに接続し、また、お互いが接続させているオスコネクタ３とメスコネクタ５とを分離するときに使用する治具であり、治具本体部５９と、一対の引っ掛け部材（第１の係合部材）５３（５３Ａ，５３Ｂ）と、移動部材（たとえば、ボルト）５５とを備えて構成されている。
【００５５】
治具本体部５９には、所定の切り欠き６３とオスコネクタ３の第１の被当接部２３（先端面４５）に当接する当接部２１とが設けられている。
【００５６】
引っ掛け部材５３には、所定の切り欠き６５とオスコネクタ３の被引っ掛け部（第１の被引っ掛け部）１５に引っ掛かる引っ掛け部１３とが設けられている。また、引っ掛け部材５３は、治具本体部５９に回動自在に支持されている。回動自在に支持されていることによって、コネクタ用治具９を各コネクタ３，５へ設置する際、引っ掛け部材５３の引っ掛け部１３がオスコネクタ３の第１の被引っ掛け部１５に当接して引っ掛け部材５３が回動する（図１２や図１３参照）。これにより、コネクタ用治具９の各コネクタ３，５への設置がしやすくなっている。
【００５７】
ボルト５５は、メスコネクタ５の第２の被当接部１９に当接する押し込み部材（押し込み部１７を備えた押し込み部材）５７を支持し、もしくは、メスコネクタ５の第２の被引っ掛け部２７に引っ掛ける引き出し部材（引き出し部２５を備えた引き出し部材）６１を支持するようになっている。また、ボルト５５は、治具本体部５９に係合（たとえば螺合）して治具本体部５９に対して所定の方向（高さ方向）に移動するようになっている。さらに、押し込み部材５７や引き出し部材６１は、ボルト５５に対して容易に着脱自在になっている。
【００５８】
お互いが分離されているオスコネクタ３とメスコネクタ５とをお互いに接続するときには、まず、ボルト５５で押し込み部材５７を支持する。続いて、オスコネクタ３とメスコネクタ５とが仮接続の状態で、引っ掛け部材５３の引っ掛け部１３をオスコネクタ３の第１の被引っ掛け部１５に引っ掛ける。続いて、メスコネクタ５をオスコネクタ３に押す方向（押し込む方向）にボルト５５を回転させながら移動して押し込み部材５７の押し込み部１７をメスコネクタ５の第２の被当接部１９に当接させ、ボルト５５の移動によりメスコネクタ５をオスコネクタ３側に押すようになっている。
【００５９】
一方、お互いが接続されているオスコネクタ３とメスコネクタ５とを分離するときには、まず、ボルト５５で引き出し部材６１を支持する。続いて、治具本体部５９の当接部２１をオスコネクタ３の第１の被当接部２３（先端面４５）に当接させ、引き出し部材６１の引き出し部２５をメスコネクタ５の第２の被引っ掛け部２７に引っ掛ける。続いて、メスコネクタ５の第２のコネクタロック部３７に外力を加えて、第２のコネクタロック部３７とオスコネクタ３の第１のコネクタロック部３１との係合をはずしておいて、ボルト５５の移動によりメスコネクタ５をオスコネクタから離す方向に引き出す。そして、メスコネクタ５をオスコネクタ３から離すようになっている。
【００６０】
ところで、前述したように、オスコネクタ３には、第１のコネクタロック部３１が設けられており、メスコネクタ５には、第２のコネクタロック部３７が設けられている。そして、治具本体部５９と引っ掛け部材５３とに切り欠き６３，６５を設けてあることによって、お互いに接続されているオスコネクタ３とメスコネクタ５とを分離するときに、第２のコネクタロック部３７に所定の外力を加えることができるようになっている。すなわち、治具本体部５９の切り欠き６３と引っ掛け部材５３との切り欠き６５とを通して指で直接もしくは器具を用いて、第２のコネクタロック部３７に力を加え（図１８の矢印ＡＲ参照）、第２のコネクタロック部３７を弾性変形させて、メスコネクタ５のオスコネクタ３からの分離の阻止機能が解除されるようになっている。
【００６１】
次に、コネクタ７（オスコネクタ３、メスコネクタ５）、コネクタ用治具９についてさらに詳しく説明する。図３は、オスコネクタ３とメスコネクタ５との概略構成を示す斜視図である。なお、図３では、オスコネクタ３とメスコネクタ５とは分離されている。図１、図３等を参照するに、オスコネクタ３、メスコネクタ５、コネクタ用治具９は、コネクタ７やコネクタ用治具９の中心を通り、横方向に対して直交した平面（高さ方向と縦方向とに展開している平面）に対してほぼ対称に形成されている。また、オスコネクタ３、メスコネクタ５、コネクタ用治具９は、コネクタ７やコネクタ用治具９の中心を通り、縦方向に対して直交した平面（高さ方向と横方向とに展開している平面）に対してほぼ対称に形成されている。
【００６２】
まず、オスコネクタ３について説明すると、オスコネクタ３の第１のコネクタ本体部４１は、直方体状に形成されている。第１のコネクタ本体部４１の上面には、複数の第１の端子（図示せず）が上方に突出して設けられている。各端子は、横方向および縦方向で所定の間隔をあけてマトリックス状に配置されている。筒状部２９も矩形状に形成されており、第１のコネクタ本体部４１の上面から突出している。筒状部２９の側面は、第１のコネクタ本体部４１の側面の延長上に存在している。すなわち、図１、図３等の高さ方向からオスコネクタ３を見ると、オスコネクタ３（第１のコネクタ本体部４１、筒状部２９）の外形は矩形状になっている。
【００６３】
第１のコネクタ本体部４１からの筒状部２９の延出高さは、オスコネクタ３の第１の端子の延出高さよりも高くなっている。したがって、横方向等の側面からオスコネクタ３を見た場合、オスコネクタ３の第１の端子は筒状部２９に隠れている。
【００６４】
第１の被引っ掛け部１５を形成している第１の突起４３は、図３で示すようにまた前述したように３つ設けられており、各突起４３Ａ，４３Ｂ，４３Ｃは、矩形な板状に形成されている。
【００６５】
突起４３Ａの縦方向（長手方向）の寸法は、筒状部２９の縦方向の寸法よりも小さくなっており、突起４３Ａの高さ方向（厚さ方向）の寸法は、筒状部２９の縦方向の寸法に比べて十分に小さく、筒状部２９の厚さと等しいか筒状部２９の厚さよりも僅かに大きくなっている。突起４３Ａの横方向（幅方向）の寸法は、突起４３Ａの厚さ方向の寸法と等しいか突起４３Ａの幅方向の寸法よりも僅かに大きくなっている。
【００６６】
そして、突起４３Ａは、長手方向が筒状部２９の縦方向と一致し、厚さ方向が筒状部２９の高さ方向と一致し、幅方向が筒状部２９の横方向と一致するようにして、また、筒状部２９の縦方向の中間部および筒状部２９の上端部で、筒状部２９の横方向の一方の側面から突出し、筒状部２９に一体で設けられている。なお、突起４３Ａの厚さ方向の一方の面（上面４５）と、筒状部２９の上面とは、１つの平面（高さ方向に対して直交している平面）上に位置している。また、突起４３Ａの上面４５は、第１の被当接部２３を形成している。
【００６７】
突起４３Ｂと突起４３Ｃとは、お互いがほぼ同じ形状に形成されている。突起４３Ｂの厚さ方向の寸法および幅方向の寸法は、突起４３Ａの寸法とほぼ等しくなっている。一方、突起４３Ｂの長手方向の寸法は突起４３Ａの長手方向の寸法よりも小さくなっている。さらに、突起４３Ｂの長手方向の寸法と突起４３Ｃの長手方向の寸法との和は、突起４３Ａの長手方向の寸法よりも小さくなっている。
【００６８】
そして、突起４３Ｂ，４３Ｃは、突起４３Ａと同様にして、筒状部２９の横方向の他方の側面から突出し、筒状部２９に一体で設けられている。さらに説明すると、各突起４３Ｂ，４３Ｃは、筒状部２９の縦方向で所定の間隔（切り欠き６９により間隔）をあけて設けられている。また、各突起４３Ｂ，４３Ｃと間の間隔が設けられておらず、各突起４３Ｂ，４３Ｃが突起４３Ａのようにつながっているとすると、このつながっている仮想の突起と突起４３Ａとは、同じ形態になる。
【００６９】
第１のコネクタロック部３１は、筒状部２９に一体成形で設けられた突起６７で形成されている（たとえば、図１７におけるＸＶＩＩＩ部の拡大図である図１８参照）。突起６７は、筒状部の１つの平板状の側壁（各突起４３Ｂ，４３Ｃが設けられている側壁）に一体成形で設けられている。また、突起６７は、筒状部２９（メスコネクタ５）の縦方向の中央部（各突起４３Ｂ，４３Ｃの間）であって、筒状部２９の高さ方向の先端部（切り欠き６９が設けられている筒状部２９の部位における上端部）の近傍に設けられている。さらに、突起６７は、筒状部２９の内壁から筒状部２９の内側（中心）側に突出している。
【００７０】
第１のコネクタ仮係止部３３は、筒状部２９に一体成形で設けられた突起７１で形成されている（たとえば、図７におけるＩＸ−ＩＸ断面である図９（ａ）のＩＸ部の拡大図である図９（ｂ）参照）。突起７１は、筒状部２９の２つの平板状の側壁（オスコネクタ３の縦方向の両端部に位置している一対の側壁）のそれぞれに設けられている。また、突起７１は、筒状部２９の縦方向では筒状部２９の下側（第１のコネクタ本体部４１側）に、筒状部２９の横方向では筒状部２９の中間部に設けられている。さらに、突起７１は、筒状部２９の内壁から筒状部２９の内側（中心）側に突出している。
【００７１】
突起７１の裏側（外側）における筒状部２９の部位には、凹部７３が設けられており、第１のコネクタ仮係止部３３が第２のコネクタ仮係止部３９に係合するときに、第１のコネクタ仮係止部３３が弾性変形しやすくなっている。
【００７２】
次に、メスコネクタ５について説明する。
【００７３】
メスコネクタ５の第２のコネクタ本体部３５は、図３等で示すように、直方体状に形成されており、底面（下面）に複数の第２の端子１１が上方に凹んで設けられている。各端子１１は、オスコネクタ３の第１の各端子に対応して、横方向および縦方向で所定の間隔をあけてマトリックス状に配置されている。第２のコネクタ本体部３５の縦方向の寸法は、筒状部２９の縦方向における内面（内壁）間の寸法とほぼ等しくなっており、第２のコネクタ本体部３５の横方向の寸法は、筒状部２９の横方向における内面（内壁）間の寸法とほぼ等しくなっており、第２のコネクタ本体部３５の高さ方向の寸法は、筒状部２９の高さ方向の寸法とほぼ等しくなっている。
【００７４】
メスコネクタ５の第２のコネクタロック部３７は、図１８で示すように、可撓性を備えた棒状の部位７５を備えて構成されており、この棒状部位７５の長手方向の中間部（たとおえば先端部側）に設けられている凸部（突起）７７が、第１のコネクタロック部３１を構成している突起６７に係合して、本接続されたコネクタ７（オスコネクタ３、メスコネクタ５）の分離が阻止されるようになっている。
【００７５】
棒状部位７５は、第２のコネクタ本体部３５に一体成形で設けられている。棒状部位７５は、この基端部が第２のコネクタ本体部３５に接続されており、棒状部位７５の長手方向が第２のコネクタ本体部３５（メスコネクタ５）の高さ方向と一致して、第２のコネクタ本体部３５から僅かに離れ、第２のコネクタ本体部３５の下から上方に向かって延びている。また、棒状部位７５の基端部は、縦方向では、第２のコネクタ本体部３５の中央部に位置しており、高さ方向では、第２のコネクタ本体部３５の下側に位置しており、横方向では、第２のコネクタ本体部３５の横方向の一方の面内に位置している。
【００７６】
そして、オスコネクタ３とメスコネクタ５とをお互いに接続する途中では、棒状部位７５（たとえば凸部７７）が第１のコネクタロック部３１に当接し、棒状部位７５と第２のコネクタ本体部３５との間隔が小さくなるように（図１８に矢印Ａ８で示す方向に）棒状部位７５が弾性変形して撓むようになっている。また、オスコネクタ３とメスコネクタ５との接続するが終了したときには、棒状部位７５が復元し（図１８の矢印Ａ９で示す方向に復元し）、棒状部位７５の凸部７７が、図１８で示しているように、オスコネクタ３の筒状部２９に設けられている突起６７の下側に位置するようにして、凸部７７が突起６７に当接し、メスコネクタ５がオスコネクタ３から抜け出ないようになっている（各コネクタ３，５の分離が阻止されるようになっている）。また、各コネクタ３，５が本接続されている状態で、棒状部位７５の先端部に外力（図１８の矢印ＡＲで示す力）を加えると、棒状部位７５（凸部７７）とメスコネクタ５の突起６７との係合がはずれ、各コネクタ３，５の分離阻止が開放されるようになっている（各コネクタ３，５を分離できるようになっている）。
【００７７】
メスコネクタ５の第２のコネクタ仮係止部３９は、メスコネクタ５の高さ方向で互いが隣接している２つの突起７９で形成されている（図９（ｂ）参照）。突起７９は、細長い溝８１の底部から突出している。溝８１は、第２のコネクタ本体部３５の側面（縦方向の端部に位置している側面）に、メスコネクタ５の高さ方向に延びて設けられている。なお、突起７９の高さは、溝８１の深さとほぼ等しくなっている。また、溝８１の深さは、第１のコネクタ仮係止部３３を形成している突起７１の高さとほぼ等しくなっており、溝８１の幅（図９（ｂ）の紙面に直交する方向の寸法）は、突起７１，７９の幅とほぼ等しくなっている。
【００７８】
これにより、メスコネクタ５をオスコネクタ３に接続するときに、突起７１が溝８１に滑り対偶をなして係合し、上述したリブ４９と溝５１との係合等に代えてもしくは加えて、メスコネクタ５がオスコネクタ３に対して着脱方向（高さ方向）にガイドされて移動するようになっている。
【００７９】
また、メスコネクタ５とオスコネクタ３とが仮係止状態にあるときには、図９（ｂ）で示してあるように、お互いが隣接している２つの突起７９の間に、第１のコネクタ仮係止部３３を形成している突起７１が入り込み、メスコネクタ５とオスコネクタ３とが仮係止状態が維持されるようになっている。
【００８０】
なお、メスコネクタ５とオスコネクタ３とにおいて、溝８１を第２のコネクタ本体部３５ではなくオスコネクタ３の筒状部２９に設けてもよいし、１組の各コネクタ仮係止部３３，３９において、突起７１を２つにし突起７９を１つにして、仮係止状態で、２つ突起７１の間に突起７９が入り込むようにしてもよい。
【００８１】
メスコネクタ５の第２の突起４７は、第２のコネクタ本体部３５と一体で成形された起立部８３と一対の突出部８５とで構成されている。起立部８３は、四角柱状等の柱状に形成されて第２の被当接部１９を構成しており、起立部８３の上面に、コネクタ用治具９の押し込み部１７が当接するようになっている。また、起立部８３は、第２のコネクタ本体部３５の中央部で、第２のコネクタ本体部３５の上面から突出している。
【００８２】
突出部８５は、円柱状等の柱状に形成されて第２の被引っ掛け部２７を形成している。また、突出部８５は、この高さ方向（軸の延伸方向）が第２のコネクタ本体部３５の横方向と一致するようにして、起立部８３に設けられている。これにより、第２の突起４７は「十」字状に形成されている。なお、オスコネクタ３とメスコネクタ５とを一旦接続した後の分離が不要であれば、突出部８５を削除した構成であってもよい。
【００８３】
次に、コネクタ用治具９について説明する。
【００８４】
コネクタ用治具９は、たとえば、図２で示すように、前述した治具本体部５９、ボルト５５、一対の引っ掛け部材５３、押し込み部材５７、引き出し部材６１に加えて、引っ掛け部材５３を所定の回動方向（軸Ｃ１，Ｃ２を中心にした矢印Ａ１，Ａ２で示す方向）に付勢する付勢部材（たとえば圧縮コイルばね）８７を備えて構成されている。
【００８５】
治具本体部５９は、図４（治具本体部５９の概略構成を示す斜視図）等で示すように、矩形な平板状の基部８９と、矩形な平板状の第１の側部９１と、第１の側部９１と同形状に形成された第２の側部９３とを備えてたとえば金属で形成されている。このように形成されている治具本体部５９をこの高さ方向から見ると、基部８９の形状である矩形状になっている。また、治具本体部５９をこの縦方向から見ると、「コ」字状になっている。さらに、治具本体部５９の各側部９１、９３の細長い矩形な平面状の先端面（基部８９とは反対側の面）は、オスコネクタ３の第１の被当接部２３に当接する当接部２１を形成している。
【００８６】
基部８９の中央部には、移動部材５５が係合する移動部材係合部９５が設けられている。移動部材係合部９５は、基部８９の厚さ方向（治具本体部５９の高さ方向）を貫通しているメスねじによって形成されており、このメスねじ９５に、ボルト５５のねじ部（治具本体部への係合部）が螺合するようになっている。メスねじ９５に螺合しているボルト５５は、図２等で示すように、治具本体部５９（コネクタ用治具９）の高さ方向で、ボルト５５の頭部が各側部９１，９３の反対側に位置し、ボルト５５のオスねじの先端部側が、各側部９１，９３側に位置し、横方向で、ボルト５５のオスねじの先端部側が、各側部９１，９３の間に位置していいる。また、ボルト５５を回すことによって、ボルト５５が推力を得て治具本体部５９の高さ方向で治具本体部５９に対して移動するようになっている。
【００８７】
また、治具本体部５９の第１の側部９１には、切り欠き６３と一対の第１の係合部材支持部（引っ掛け部材支持部）９７が設けられている。切り欠き６３は、矩形状に形成されており、治具本体部５９の高さ方向では第１の側部９１の先端部（下部）に、治具本体部５９の縦方向では、第１の側部９１の中間部に設けられている。
【００８８】
一対の引っ掛け部材支持部９７のうちの一方の引っ掛け部材支持部９７は、中央部に円形状の貫通孔９９を備えた小さな板状に形成されており、この板の厚さ方向と貫通孔９９の貫通方向とが、治具本体部５９の縦方向と一致するようにして、第１の側部９１に一体で設けられている。
【００８９】
また、一対の引っ掛け部材支持部９７のうちの一方の引っ掛け部材支持部９７は、治具本体部５９の横方向では第１の側部９１から外側（第２の側部９３から離れる側）に突出し、治具本体部５９の高さ方向では第１の側部９１の中間部に位置し、治具本体部５９の縦方向では第１の側部９１の一方の側に位置している。
【００９０】
一対の引っ掛け部材支持部９７のうちの他方の引っ掛け部材支持部９７は、第１の側部９１の中央を通る平面（第１の側部９１の中心を取り治具本体部５９の縦方向に直交している平面）に対して、一方の引っ掛け部材支持部９７と対称に設けられている。
【００９１】
治具本体部５９の第２の側部９３とこの第２の側部９３に設けられている切り欠き６３と一対の引っ掛け部材支持部９７とは、治具本体部５９の中央を通る平面（治具本体部５９の中心を取り治具本体部５９の横方向に直交している平面）に対して、第１の側部９１やこの切り欠き６３や引っ掛け部材支持部９７と対称に設けられている。
【００９２】
ボルト５５の先端部（六角柱状の頭部とは反対側の部位）には、たとえば、図２で示すようにリング状の溝（クビレ）１０１が設けられており、このクビレ１０１が設けられている部位が、押し込み部材５７や引き出し部材６１と係合してそれらを支持する第２の係合部材支持部１０３を形成している。
【００９３】
一対の引っ掛け部材５３（５３Ａ，５３Ｂ）は、たとえば金属で構成されており、各側部９１，９３の場合と同様にして、コネクタ用治具９の中心を通り横方向に対して直交する平面に対して、対称に設けられている。なお、各引っ掛け部材５３Ａ，５３Ｂはお互いが同じ形状に形成されているので、ここでは、一方の引っ掛け部材５３Ａの形状を説明する。
【００９４】
引っ掛け部材５３Ａは、図６等で示すように、所定の厚さを備えたほぼ矩形な板状に形成されている。また、引っ掛け部材５３Ａには、切り欠き６５と、オスコネクタ３の第１の突起４３に係合する（引っ掛かかる）引っ掛け部１３と、治具本体部５９の引っ掛け部材支持部９７に係合する一対の被支持部１０５とが一体成形で設けられている。
【００９５】
切り欠き６５は、矩形状に形成されており、引っ掛け部材５３Ａの高さ方向では引っ掛け部材５３Ａの先端部（下部）に、引っ掛け部材５３Ａの縦方向では、引っ掛け部材５３Ａの中間部に設けられている。
【００９６】
引っ掛け部１３は、斜面１０６を備えた突起で構成されており、この突起は、引っ掛け部材５３Ａの高さ方向では、引っ掛け部材５３Ａの先端部（下部）に、引っ掛け部材５３Ａ縦方向では、切り欠き６５が設けられている部位を除く全長にわたって、引っ掛け部材５３Ａの横方向（厚さ方向）では、一方の端面（引っ掛け部材５３Ａを治具本体部５９に設置したときに第１の側部９１側の面）から突出して設けられている。
【００９７】
一対の被支持部１０５のうちの一方の被支持部１０５は、外径が治具本体部５９の引っ掛け部材支持部９７に設けられている貫通孔９９の内径とほぼ等しい円柱状に形成されている。そして、一方の被支持部１０５は、引っ掛け部材５３Ａの高さ方向および横方向（厚さ方向）では、引っ掛け部材５３Ａの中間部に、引っ掛け部材５３Ａの縦方向では、一方の端面から突出して設けられている。一対の被支持部１０５のうちの他方の被支持部１０５は、引っ掛け部材５３Ａの中央面（引っ掛け部材５３Ａの中心を通り引っ掛け部材５３Ａの縦方向に直交する平面）に対して、一方の被支持部１０５と対称に設けられている。
【００９８】
また、矩形状の治具本体部５９の縦方向の寸法は、治具本体部５９の第１の側部９１（第２の側部９３）に設けられている引っ掛け部材支持部９７間の寸法とほぼ等しくなっている。さらに、引っ掛け部材５３Ａには、斜面部１０７が設けられている。斜面部１０７は、引っ掛け部材５３Ａの上端部側で引っ掛け部１３が設けられている側に設けられており、この斜面部１０７が設けられている部位では、引っ掛け部材５３Ａの上端部に向かうにしたがって、引っ掛け部材５３Ａの厚さが薄くなっている。
【００９９】
そして、引っ掛け部材５３の被支持部１０５が治具本体部５９の引っ掛け部材支持部９７に嵌り込むようにして、一方の引っ掛け部材５３Ａを第１の側部９１に設置し、他方の引っ掛け部材５３Ｂを第２の側部９３に設置すると、たとえば図２で示すように、治具本体部５９の横方向で、一対の引っ掛け部材５３が治具本体部５９の外側に位置する。このときには、一対の引っ掛け部１３が、治具本体部５９よりも下側に位置していると共に、治具本体部５９の内側に突出している。
【０１００】
さらに、圧縮コイルばね８７で付勢されているので、常態（図２に示す状態；コネクタ用治具９に何ら外力が加わっていない状態）では、引っ掛け部材５３の厚さ方向と側部９１，９３の厚さ方向とがお互いに一致している。また、常態では、一対の引っ掛け部１３の先端部間の距離Ｌ１が、オスコネクタ３の筒状部２９の横方向の外形寸法Ｌ２とほぼ等しくなっており、一対の引っ掛け部１３の基端部間の距離Ｌ３が、オスコネクタ３の第１の突起４３Ａと第１の突起４３Ｂ（４３Ｃ）の距離Ｌ４（図３も併せて参照）とほぼ等しくなっている。
【０１０１】
なお、コネクタ用治具９を仮設置状態の各コネクタ３，５に設置する際には、図２に矢印Ａ１，Ａ２で示す方向に、一対の引っ掛け部材５３が回動し（図１３参照）、コネクタ用治具９の設置を容易ならしめている。すなわち、図１３で示すように、引っ掛け部材５３の傾斜面１０６が、オスコネクタ３の第１の突起４３に当接して、各引っ掛け部材５３Ａ，５３Ｂが「ハ」状になり、各引っ掛け部１３間の距離が大きくなり、仮設置状態の各コネクタ３，５へのコネクタ用治具９の設置が容易になる。また、各引っ掛け部材５３Ａ，５３Ｂの傾斜面（斜面部）１０７は、各引っ掛け部材５３Ａ，５３Ｂが図１３で示すように回動したときに、各引っ掛け部材５３Ａ，５３Ｂと治具本体部５９とが干渉しないようにするために設けられている。
【０１０２】
押し込み部材５７は、図５で示すように矩形な枡状に形成されている。そして、枡の開口部と隣り合っている１つの側壁部には、「Ｕ」字状の切り欠き１０９が形成されている。この切り欠き１０９の部位を、ボルト５５のクビレ１０１に係合させることにより、図２で示すように、押し込み部材５７がボルト５５に着脱自在に設置されるようになっている。なお、枡状の押し込み部材５７の他の１つの側壁部（「Ｕ」字状の切り欠き１０９が形成されている側壁部と対向している側壁部）が、メスコネクタ５の第２の被当接部１９に当接する押し込み部１７を形成している。
【０１０３】
次に、引き出し部材６１について詳しく説明する。
【０１０４】
図１９は、引き出し部材６１の概略構成を示す斜視図であり、図２０、図２１は、引き出し部材６１の正面図である。なお、図２０では、引き出し部材６１が、ボルト５５に設置されていると共に、引き出し部材６１の引き出し部２５が、第２のコネクタ５の被引っ掛け部２７に係合して、第２のコネクタ５を引き出すことができる状態を示している。図２１（ａ）では、引き出し部材６１が、ボルト５５に設置されていると共に、引き出し部材６１の引き出し部２５が、第２のコネクタ５の被引っ掛け部２７に係合する前の状態を示している。図２１（ｂ）では、引き出し部材６１が、ボルト５５に設置されていると共に、引き出し部材６１の引き出し部２５が、第２のコネクタ５の被引っ掛け部２７に係合する途中の状態を示している。
【０１０５】
引き出し部材６１は、基材１１１と爪部材１１３と付勢部材（たとえば圧縮コイルバネ）１１５とを備えて構成されている。基材１１１には、切り欠き１１７が設けられており、この切り欠き１１７の部位がボルト５５のクビレ１０１に係合することによって、引き出し部材６１が、ボルト５５に着脱自在に設置されるようになっている。
【０１０６】
爪部材１１３は、図２０に示す軸Ｃ３を回動中心にして、図２０に示す状態（常態）から矢印Ａ１０の方向に回動するように、基材１１１に設けられている。また、爪部材１１３には、斜面１１９，１２１が設けられている。斜面１１９は、引き出し部２５を形成する斜面であり、斜面１２１は、メスコネクタ５の第２の被引っ掛け部２７（突出部８５）に爪部材１１３を係合させるとき（引っ掛けるとき）に、圧縮コイルバネ１１５の付勢力に抗して、爪部材１１３（引き出し部２５）を回動させるための斜面である（図２１（ｂ）参照）。
【０１０７】
なお、図２０や図２１では、爪部材１１３を１つだけ設けてあるが、図２２（引き出し部材の変形例を示す図）で示すように、基材１１１ａに一対の爪部材１１３Ａ，１１３Ｂを設けて、これらの一対の爪部材１１３Ａ，１１３Ｂが、メスコネクタ５の第２の被引っ掛け部２７（突出部８５）に係合するようにしてもよい。この場合、一方の爪部材１１３Ａは軸Ｃ５を回動中心にして、常態から矢印Ａ１３で示す方向の回動し、他方の爪部材１１３Ｂは軸Ｃ４を回動中心にして、常態から矢印Ａ１２で示す方向の回動するようになっている。
【０１０８】
ところで、コネクタ用治具９では、押し込み部材５７や引き出し部材６１がボルト５５に着脱自在になっており、押し込み部材５７、引き出し部材６１のいずれか一方がボルト５５に設置されるようになっているが、ボルト５５と押し込み部材５７とを一体で構成してもよいし、または、ボルト５５と引き出し部材６１とを一体で構成してもよい。さらには、オスコネクタ３にメスコネクタ５を押し込む際、図５で示す押し込み部材５７を使用せず、ボルト５５をメスコネクタ５の第２の被当接部１９に直接当接させてもよい。
【０１０９】
次に、分離されているオスコネクタ３とメスコネクタ５とをお互いに接続するときの動作について、図７〜図１８等を参照しつつ説明する。
【０１１０】
図７は、仮接続状態にあるオスコネクタ３とメスコネクタ５とを示す斜視図であり、図８は、図７におけるＶＩＩＩ−ＶＩＩＩ断面を示す図である。図９（ａ）は、図７におけるＩＸ−ＩＸ断面を示す図であり、図９（ｂ）は、図９（ａ）のＩＸ部の拡大図である。
【０１１１】
図１０、図１１は、仮接続状態にあるオスコネクタ３とメスコネクタ５とにコネクタ用治具９を設置する前の状態を示す図であり、図１２、図１３は、仮接続状態にあるオスコネクタ３とメスコネクタ５とにコネクタ用治具９を設置している途中の状態を示す図であり、図１４、図１５は、仮接続状態にあるオスコネクタ３とメスコネクタ５とにコネクタ用治具９を設置し終えた状態を示す図であり、図１６、図１７は、コネクタ用治具９によって、オスコネクタ３とメスコネクタ５とを本接続した状態を示す図である、図１８は、図１７のＸＶＩＩＩ部の拡大図である。
【０１１２】
まず、接続作業をする者がたとえば素手で、図３に矢印Ａ３で示す方向にメスコネクタ５を移動して、オスコネクタ３とメスコネクタ５とを仮接続状態（図７〜図９参照）にする。
【０１１３】
続いて、図１０から図１５で示すように、仮接続状態にあるオスコネクタ３とメスコネクタ５とに、押し込み部材５７が設置されているコネクタ用治具９を設置する。すなわち、図１０で示すように、オスコネクタ３とメスコネクタ５との上方の位置にコネクタ用治具９を位置させ、図１０、図１１に矢印Ａ４で示す方向（下方）にコネクタ用治具９を移動する。この移動によって、引っ掛け部材５３の傾斜面１０６が、オスコネクタ３の第１の突起４３に当接して、引っ掛け部材５３が回動し一対の引っ掛け部１３の間隔が広がる（図１２、図１３参照）。図１２や図１３で示す状態から、矢印Ａ５で示す方向（下方）にコネクタ用治具９をさらに移動する。
【０１１４】
この移動によって、引っ掛け部材５３の傾斜面１０６が、オスコネクタ３の第１の突起４３から外れ、圧縮コイルばね８７の付勢力で、引っ掛け部材５３がもとの回動角度（図１０、図１１等で示した姿勢）に戻り、オスコネクタ３とメスコネクタ５とへのコネクタ用治具９の設置が終了する（図１４、図１５参照）。なお、図１４、図１５に示す状態では、治具本体部５９の当接部２１が、オスコネクタ３の第１の突起４３の上面に当接している。また、コネクタ用治具９の引っ掛け部材５３の引っ掛け部１３と、オスコネクタ３の第１の突起４３との間には、小さな隙間が形成されている。
【０１１５】
続いて、図１４や図１５で示す状態で、ボルト５５を矢印Ａ６で示すように回すと、ボルト５５が下降し、押し込み部材５７がメスコネクタ５（第２の被当接部１９）を押仕込む。この押し込みによる反力（上向きの力）により、コネクタ用治具９が全体的に僅かに上昇し、治具本体部５９の当接部２１とオスコネクタ３の第１の突起４３の上面との間に僅かな間隙が生じ、コネクタ用治具９の引っ掛け部材５３の引っ掛け部１３がオスコネクタ３の第１の突起４３に接触して引っ掛け部１３が第１の突起４３から押圧力（下向きの力）受ける。
【０１１６】
ボルト５５を矢印Ａ６で示すようにさらに回すと、ボルト５５がさらに下降し、メスコネクタ５が下方（図１４や図１５に矢印Ａ７で示す方向）に移動して、メスコネクタ５がオスコネクタ３に押し込まれ、メスコネクタ５とオスコネクタ３との本接続がなされる（図１６、図１７参照）。
【０１１７】
この本接続がなされたときに、図１８で示すように、第２のコネクタロック部３７を構成している凸部７７が、第１のコネクタロック部３１を構成している突起６７に当接して、メスコネクタ５（第２の端子１１）のオスコネクタ３（第１の端子）からの分離が阻止させる。すなわち、図１８で示す状態では、凸部７７が突起６７の下側で突起６７に当接しているので、オスコネクタ３に対してメスコネクタ５が上方に移動しようとしても、凸部７７が突起６７に引っ掛かり、上記上方への移動ができないようになっている。
【０１１８】
なお、仮接続から本接続に移行する途中の状態では、まず、図１８で示す状態とは異なり、オスコネクタ３に対してメスコネクタ５が上方に位置し、凸部７７が突起６７の上方で突起６７から離れている。この状態から、オスコネクタ３に対してメスコネクタ５を下方に移動すると、凸部７７が突起６７に当接して、棒状部位７５が図８に矢印Ａ８で示す方向に弾性変形して撓む。この撓みによって、オスコネクタ３に対してメスコネクタ５がさらに下方に移動でき、凸部７７が突起６７を乗り越える。この乗り越えが終了したときに、オスコネクタ３とメスコネクタ５との本接続が終了し、棒状部位７５が図８に矢印Ａ８で示す方向に復元し、図１８で示す状態になる。
【０１１９】
次に、本接続がされている状態で、オスコネクタ３からメスコネクタ５を分離（取り外す）動作を説明する。
【０１２０】
まず、図１６や図１７で示すように、本接続がされているオスコネクタ３とメスコネクタ５とに、コネクタ用治具９を設置する。図１６や図１７では、コネクタ用治具９のボルト５５に押し込む部材５７が設置されているが、オスコネクタ３からメスコネクタ５を分離するときには、押し込む部材５７に代えて、図１９等で示す引き出し部材６１が設置される。また、コネクタ用治具９を設置するときには、図２１（ａ）、図２１（ｂ）、図２０にこの順で示すようにして、引き出し部材６１が、メスコネクタ５の第２の被引っ掛け部２７の係合する。
【０１２１】
続いて、図１８で示す状態において、治具本体部５９の切り欠き６３と引っ掛け部材５３の切り欠き６５とを介して、図１８に矢印ＡＲで示す力を第２のコネクタロック部３７（棒状部位７５）に加えて、図１８に矢印Ａ８で示す方向に棒状部位７５を弾性変形させて撓ませ、突起６７と凸部７７とを非係合（非当接）状態にする。
【０１２２】
このように、突起６７と凸部７７とを非当接状態にしておいて、ボルト５５を左回り（図１４の矢印Ａ６とは逆回り）すると、ボルト５５が上昇する。このボルト５５の上昇によって、メスコネクタ５がオスコネクタ３に対して上方に引き出され、オスコネクタ３とメスコネクタ５とが仮接続状態になる。仮接続状態になったときには、図１８で示している態様とは異なり、凸部７７が突起６７から離れて突起６７の上方に位置しており、第２のコネクタロック部３７（棒状部位７５）は復元している。また、仮接続状態になる前であってメスコネクタ５が上方に引き出されているときには、ボルト５５は下向きの力を受けており、オスコネクタ３の第１の突起４３に当接している治具本体部５９の当接部２１が、上向きの力を受けている。
【０１２３】
コネクタ７によれば、従来のコネクタ４００のように、各コネクタ３，５毎にボルトやナットを設けていないので、コネクタ７が軽量化され、コネクタ７の構成が簡素化され、コネクタ７の製造工程が簡素化され、コネクタ７の製造コストを低減することができる。
【０１２４】
なお、従来のコネクタ４００のようにボルトやナットが設けられていないので、各コネクタ３，５同士の接続は、すでに理解されるように、オスコネクタ３の第１の被引っ掛け部１５にコネクタ用治具９の引っ掛け部１３を引っ掛け、メスコネクタ５の第２の被当接部１９にコネクタ用治具９の押し込み部１７を当接させ、コネクタ用治具９の押し込み部１７で、メスコネクタ５を押すことによってなされる。
【０１２５】
また、従来のコネクタ４００のようにボルトやナットが設けられていないので、各コネクタ３、５の分離は、すでに理解されるように、オスコネクタ３の第１の被当接部２３にコネクタ用治具９の当接部２１を当接させ、メスコネクタ５の第２の被引っ掛け部２７にコネクタ用治具９の引き出し部２５を引っ掛け、コネクタ用治具９の引っ掛け部２７で、メスコネクタ５を引き出すことによってなされる。
【０１２６】
また、コネクタ７によれば、各コネクタロック部３１，３７が設けられていることによって、お互いに接続（本接続）されている各コネクタ３，５の分離が阻止され、お互いに接続されている各コネクタ３，５を分離するときには、第２のコネクタロック部３７に別途外力を加える必要があるので、お互いに接続されたオスコネクタ３とメスコネクタ５とが使用されている状態では分離しないようになっている一方で、お互いに接続されたオスコネクタ３とメスコネクタ５とを分離する場合には、第２のコネクタロック部３７に別途外力を加えればよいので、修理等の場合作業者の意思により、お互いが接続された各コネクタ３，５を容易に分離することができる。
【０１２７】
また、コネクタ７によれば、コネクタ用治具９を用いることで、多極のコネクタを容易い接続しまた分離できるようになっている。
【符号の説明】
【０１２８】
３  第１のコネクタ（オスコネクタ）
５  第２のコネクタ（メスコネクタ）
７  コネクタ
９  コネクタ用治具
１１  第２の端子
１３  引っ掛け部
１５  第１の被引っ掛け部
１７  押し込み部
１９  第２の被当接部
２１  当接部
２３  第１の被当接部
２５  引き出し部
２７  第２の被引っ掛け部
２９  筒状部
３１  第１のコネクタロック部
３５  第２のコネクタ本体部
３７  第２のコネクタロック部
４１  第１のコネクタ本体部
４３  第１の突起
４７  第２の突起
５３  引っ掛け部材
５５  移動部材
５７  押し込み部材
５９  治具本体部
６１  引き出し部材
【図１】
2014150073.tif 000003
【図２】
2014150073.tif 000004
【図３】
2014150073.tif 000005
【図４】
2014150073.tif 000006
【図５】
2014150073.tif 000007
【図６】
2014150073.tif 000008
【図７】
2014150073.tif 000009
【図８】
2014150073.tif 000010
【図９】
2014150073.tif 000011
【図１０】
2014150073.tif 000012
【図１１】
2014150073.tif 000013
【図１２】
2014150073.tif 000014
【図１３】
2014150073.tif 000015
【図１４】
2014150073.tif 000016
【図１５】
2014150073.tif 000017
【図１６】
2014150073.tif 000018
【図１７】
2014150073.tif 000019
【図１８】
2014150073.tif 000020
【図１９】
2014150073.tif 000021
【図２０】
2014150073.tif 000022
【図２１】
2014150073.tif 000023
【図２２】
2014150073.tif 000024
【図２３】
2014150073.tif 000025